(57)【要約】【課題】時間領域反射（Time domain reflectometry, ＴＤＲ）の原理を利用し、懸濁液中の浮遊物質濃度を測定する装置および方法を提供すること。【解決手段】電磁波走時を安定して測定可能な導波管と温度センサとを主に含む計測装置により、懸濁液中の電磁波往復走時および温度を測定し、すでに確立された温度修正を含む電磁波走時−浮遊物質濃度の補正関係を利用して、該懸濁液中の浮遊物質濃度を分析する。【選択図】図１
2009204601.tif 000002
【特許請求の範囲】
【請求項１】
時間領域反射法（Time Domain Reflectometry, ＴＤＲ）を利用して懸濁液中の電磁波往復走時（「ＴＤＲ走時」）および温度を測定して、該懸濁液の浮遊物質濃度を計算する濃度測定装置において、
該懸濁液の該ＴＤＲ走時を計測するＴＤＲ浮遊物質濃度導波管と、
該懸濁液の温度数値を計測して、温度補償を提供する温度センサと、
電磁パルスを発信し、該ＴＤＲ浮遊物質濃度導波管の反射信号を受信して、該懸濁液のＴＤＲ走時を計算する、該ＴＤＲ浮遊物質濃度導波管に接続した時間領域反射計と、
該時間領域反射計および該温度センサと接続し、該温度センサが計測した該温度数値および該反射信号の波形数値を取り込み、該懸濁液の浮遊物質濃度を計算するデータ取り込み器と、
を含む濃度測定装置。
【請求項２】
時間領域反射法を利用して計測装置の懸濁液中の反射波形および温度を測定し、該懸濁液の浮遊物質濃度を計算する方法において、
該計測装置は、ＴＤＲ浮遊物質濃度導波管と、温度センサとを含み、
該ＴＤＲ浮遊物質濃度導波管は時間領域反射計に接続し、
さらにデータ取り込み器を利用して、該時間領域反射計および該温度センサと接続し、
該反射波形および該温度のデータ取り込みを行い、
該ＴＤＲ浮遊物質濃度導波管は、インピーダンス不連続面を有する同軸ケーブルと、金属測定プローブとを含み、
該方法は、
該金属測定プローブを該懸濁液の中に浸すステップと、
該温度センサを利用して該懸濁液の該温度を測定するステップと、
該時間領域反射計およびＴＤＲ浮遊物質濃度導波管を利用して該懸濁液の該反射波形を測定するステップと、
該反射波形から得られたＴＤＲ走時を分析するステップと、
すでに確立された温度補正を含むＴＤＲ走時−浮遊物質濃度の補正関係を利用し、該懸濁液の浮遊物質濃度を分析するステップと、を含み、
該反射波形から得られたＴＤＲ走時を分析するステップは、
該反射波形の該同軸ケーブルインピーダンス不連続面によってもたらされる第１部分の反射信号を識別し、該第１部分の反射信号の頂点またはその他の安定した特徴点を、電磁波走時の時間参照点とするステップと、
該反射波形の該計測装置終点によってもたらされる第２部分の反射信号を識別し、該第２部分の反射信号微分後の頂点またはその他の安定した特徴点で、該電磁波走時の到達時間を定義するステップと、
該到達時間と該時間参照点との差を計算し、該ＴＤＲ走時とするステップと、
をさらに含む懸濁液中の浮遊物質濃度の測定方法。
【発明の詳細な説明】
【技術分野】
【０００１】
本発明は、液体および固体の混合物の混合比を測定する方法および装置、特に時間領域反射計を利用して懸濁液における浮遊物質濃度を測定する測定装置および測定方法に関する。
【背景技術】
【０００２】
従来、液体中の固体混合物の混合比を測定するには、直接サンプリング測定法、現有の自動化可能な測定法、新しく開発された時間領域反射法（Time Domain Reflectometry, ＴＤＲ）などの方法があり、これらの方法に基づき、いずれも関連する装置がある。
「直接サンプリング測定法」は、人の手またはポンプでサンプリングして試料の重量または乾燥試験を行う方法であり、最も直接的であるが、時間と人的コストを消耗し、かつ試料が揺動することにより、現地の代表性を失う可能性がある。
また、サンプリング測定の方法は、洪水期間の測定が困難であり、すぐに試験結果を得ることができず、現地の状況を効率的に反映させることができない。
【０００３】
「現有の自動化可能な測定方法」は、浮遊物質濃度と高度な関連性を有する自動化可能な観測パラメータを利用して測定を行うものであり、主に光学、音波、レーザーの３種類がある。
しかし、これらの装置の測定値は、浮遊物質の粒径の影響を受けやすく、または測定範囲が小さすぎるため、例えば台湾の河川およびダムの環境などのように、粒径が経時的に変化し、かつ濃度の変化範囲が大きい環境には適さない。
また、洪水期間が河川の浮遊物質濃度測定の主なタイミングであるが、洪水時には、流速の速さと含有している石および夾雑物とにより、精密機器が破損しやすい。
現有の装置の主な素子は、水面下に置くために保守容易性がなく、かつ装置が高価であるために現地の監視測定の空間分解能力を備えていない。
【０００４】
また、「時間領域反射法」は、時間領域反射計を利用して電磁波を発し、被測定物から反射される波形を感応導波管（Sensing waveguide,またはセンサ）が検出し、かつ時間領域反射法の原理に基づき各種感応導波管を設計し、土壌含水量（誘電率を介し）、導電率、水位、および移動など、異なる物理量を計測する。
土壌水含有量の測定に用いるのと同様に、時間領域反射法は、濁った水の導電率と誘電率の測定にそれぞれ用いることができる。導電率と誘電率は、それぞれ濁った水の浮遊物質濃度に正比例および反比例し、これによって浮遊物質濃度を推算することができる。
時間領域反射法は、１台多点監視が可能であり、感応導波管の保守と更新は容易で、かつ高濃度範囲を測定することができる。
しかし、導電率法は水中塩度および浮遊物質の粒径の大きさの影響を受けやすい。
誘電率法は水中塩度および浮遊物質の粒径の大きさの影響を比較的受けにくいが、その測定精度は一般的な浮遊物質濃度測定の要求を満たすことができない。
【発明の開示】
【発明が解決しようとする課題】
【０００５】
直接サンプリング法と現有の自動化可能な測定技術は、浮遊物質濃度の測定正確度、測定範囲、測定時間分解能、測定空間分解能および装置設備の保守容易性を備えていない。
時間領域反射法は、伝送線式の監視測定技術であり、他の測定技術にはないいくつかの特徴を有する。
時間領域反射法を利用して懸濁液の電気特性を測定し、浮遊物質濃度を推算した場合、前記の測定範囲、時間分解能、空間分解能および装置設備の保守容易性を備えることができるが、測定精度は一般的な工学応用の要求を満たしていない。
【０００６】
これに鑑み、本発明は、時間領域反射法を利用した測定方法および測定装置を提出し、前記の課題について改善する。
【課題を解決するための手段】
【０００７】
前記の公知技術の欠陥に鑑み、前記の課題を解決するため、本発明は、時間領域反射（Time Domain Reflectometry, ＴＤＲ）を利用して懸濁液における浮遊物質濃度を測定する測定装置および測定方法を提出する。
【０００８】
現在、特に河川環境の測定において、有効な浮遊物質濃度自動化測定技術はない。
現有の方法の正確度は、浮遊物質の粒径から受ける影響が大きく、測定範囲は小さく、かつ現地の保守容易性と空間の変異性を有効に考慮することができない。
本発明は、時間領域反射の原理を利用して、懸濁液中の浮遊物質濃度を測定する装置および方法の改良を提出する。
前記装置は、主に電磁波の走時を安定して測定可能な感応導波管と温度センサとを備え、方法は、主にセンサ装置の懸濁液中の電磁波の往復走時および温度を測定し、すでに確立した温度修正を含む電磁波走時−浮遊物質濃度の補正関係を利用して、前記懸濁液中の浮遊物質濃度を分析する。時間領域反射法は、伝送線式の監視測定技術である。
時間領域反射計は、反射電磁波を発信して受信し、その原理を利用して、異なる感応導波管（Sensing waveguide）を設計し、土壌含水量、導電率、水位、移動、および本発明でいう浮遊物質濃度など、異なる物理量を監視測定することができる。
電子センサを内蔵したセンサとは異なり、時間領域反射法の感応導波管は簡単で、複雑な電子部品を有さない機械式素子であり、かつ測定環境の違いにより感応導波管の寸法と測定精度を変更することができる。
ＴＤＲ信号発信器を水面上に置き、先端を水中に置く感応導波管は、頑丈で耐用性があり、衝撃のために破損した場合、先端の感応導波管の交換は簡単で経済的である。
複数の感応導波管を１台のマルチプレクサによって同じＴＤＲ信号発信器に接続することができ、かつ自動制御機能を有するため、同時に時間・空間分解能を増加することができる。
監視測定システムの保守コストは低く、かつ反射波形により監視測定線路全体の状態を検出し、自己診断の機能を提供することができる。
時間領域反射法には、多くの長所があり、現地の自動化監視測定に適している。そのため、本発明の目的は、時間領域反射法を利用して浮遊物質濃度を監視測定するセンサおよびデータ分析方法を提供することにある。
【発明の効果】
【０００９】
浮遊物質の体積濃度と懸濁液全体の誘電率には線形関係が存在しており、懸濁液全体の誘電率は、ＴＤＲにより電磁波の感応導波管における走時（ＴＤＲ走時）を測定して決定することができる。
温度および浮遊物質のミネラル成分が前記線形関係に影響を及ぼすが、温度効果は温度検出により補償することができる。
しかし、ミネラル成分による影響は大きくなく、浮遊物質の標本を取って浮遊物質濃度とＴＤＲ走時の関係式を事前に定めることができる。
【００１０】
本発明は、感応導波管及びデータ分析方法の改良を介し、ＴＤＲ反射波形の感応導波管における走時測定の安定性を高めることができる。
走時分析の精度は、装置のサンプリング時間（すなわち「時間分解能」）の１／２以下に達することができ、水中塩度および浮遊物質の粒径の大きさの影響を受けない。
一般の土壌含水量用の時間領域反射計を採用した時間領域反射計は、浮遊物質濃度の測定精度が、０.０４％ｍ3ｍ-3または１０００ｐｐｍ（１ｇ／Ｌ）に達することができる。
装置のサンプリング時間が低いほど、精度は高くなる。
【００１１】
時間領域反射の原理による浮遊物質濃度の測定は、時間領域反射法の多重化（１台多点）、多機能、遠隔自動化、保守が容易などの特徴を踏襲する。
時間領域反射水位、水深、土壌含水量などのその他の測定技術を結合し、統合型水文観測システムを形成することができる。
【００１２】
そのため、本発明の主な目的は、ＴＤＲ法の浮遊物質濃度測定の正確度を顕著に高めることであり、かつ本発明で開示する測定装置および方法は、懸濁液の導電率および浮遊物質の粒径の影響を受けずにあため、一般的な工学応用および環境監視測定の要求を満たすことができる。
【００１３】
本発明のもう１つの目的は、一般の浮遊物質測定装置と大きく違う点であり、測定環境の違いにより、必要性に適合した先端感応導波器を簡単に設計し製作し、適切な補正を介し測定可能にすることである。
【００１４】
本発明のさらにもう１つの目的は、ＴＤＲ信号発信器を水上に置き、先端の水中の感応導波器には電子部品を含まないようにし、破損しにくくすることである。
破損した場合でも、安価な先端感応導波器を交換するだけでよく、監視測定システムの保守コストは低く、かつ反射波形により監視測定線路全体の状態を検出し、自己診断の機能を提供することができる。
【００１５】
本発明のさらにもう１つの目的は、ＴＤＲに、水位、水深、土壌含水量、雨量などのその他の水文観測機能をもたせ、統合型のＴＤＲ水文監視測定システムを形成し、マルチプレクサを介して１台多点、多機能監視測定を実現し、遠隔自動化し、空間・時間分解能を達成することである。
【発明を実施するための最良の形態】
【００１６】
本発明は、時間領域反射法を利用して浮遊物質濃度を測定する方法およびその装置の改良を開示する。
利用する電磁波、導波管または懸浮物質濃度などに関する定義、詳細な製造または処理プロセスは現有の技術を利用して達成するため、以下の説明において完全な記述を行わない。
また、以下の本文における図面も、実際の関連寸法に基づき完全に作成したものではなく、その作用は、本発明の特徴に関する概要図を表したものでしかない。
【００１７】
本発明は、時間領域反射法（ＴＤＲ,Time Domain Reflectometry）を利用して懸濁液中の浮遊物質濃度を測定する方法およびその装置の改良に関する。
方法は、主にセンサ装置の懸濁液における電磁波の往復走時（「ＴＤＲ走時」）および温度を測定し、すでに確立した温度修正を含むＴＤＲ走時−浮遊物質濃度の補正関係を利用して、前記懸濁液中の浮遊物質濃度を分析するものである。
【００１８】
図１のとおり、本発明の濃度測定装置は、ＴＤＲ浮遊物質濃度導波管（６）と、同軸ケーブル（５）と、同軸ケーブルマルチプレクサ（Coaxial multiplexer）（４）と、温度センサ（７）と、温度センサケーブル（８）と、時間領域反射計（Time domain reflectometer）（３）と、時間領域反射計制御線（２）と、データ取り込みシステム（１）とを含む。
ＴＤＲ浮遊物質濃度導波管（６）を懸濁液（例えば水−砂混合物）の中に入れ、同軸ケーブル（５）により、同軸ケーブルマルチプレクサ（４）および時間領域反射計（３）に順番に接続する。
時間領域反射計（３）は電磁パルスを発信し、ＴＤＲ浮遊物質濃度導波管（６）の反射信号を受信する。
前記反射信号は、電磁波のＴＤＲ浮遊物質濃度導波管における往復走時をさらに分析することができ、マルチプレクサ（４）の切り換えにより、時間領域反射計（３）は、異なるＴＤＲ浮遊物質濃度導波管（６）に接続することができる。温度センサ（７）は、各ＴＤＲ浮遊物質濃度導波管（６）付近の温度を計測し、浮遊物質濃度の分析に必要な温度修正を提供する。
【００１９】
本発明の装置におけるＴＤＲ浮遊物質濃度導波管（６）の比較的優れた実施例は図２に示すとおりである。
主な構造は、同軸ケーブル（５）を利用して、内外導体接続電線（１２）を介し、その内外導体を金属測定プローブ（１３）と接続する。
さらに、内部に絶縁充填材料（１１）を有する金属製ケース（１０）を用いて、同軸ケーブル（５）と金属測定プローブ（１３）の接続を固定し、組み立てて、平衡導波管（Balanced waveguide）を形成し、懸濁液中の電磁波のＴＤＲ浮遊物質濃度導波管（６）における往復走時を計測し測定することに用いることができる。
金属製保護ケース（１０）は、主に内部から漏洩する電場を遮蔽し、電磁場の漏洩による干渉を減少する。金属測定プローブ（１３）の配置は、同軸または３本の平行プローブによる平衡（Balanced）構造を採用し、アンテナ効果により生成される干渉を低下させ、走時測定の安定性を高めることができる。
金属測定プローブに２本の平行プローブの不平衡構造を採用する場合、同軸ケーブルと金属プローブとの間を平衡−不平衡変成器（Balun transformer）で接続すべきである。
金属測定プローブ（１３）の末端の縁は、断路式または短絡式とすることができ、かつ幾何学的形状は、直線型、曲折型または螺旋型とすることができる。曲折型および螺旋型の設計は、導波管の計測の長さを減少せずに、ＴＤＲ浮遊物質濃度導波管（６）の長さを短くすることができる。
金属測定プローブ（１３）の導体を柱状または板状の絶縁材料に付着し、柱状または板状のＴＤＲ浮遊物質濃度導波管（６）を形成することもできる。
金属測定プローブ（１３）の長さは、電磁波のサンプリング時間および浮遊物質濃度分解能により決まり、長さが長いほど分解能が高くなる。
内外導体接続電線（１２）を金属測定プローブ（１３）に接続するとき、伝送線のインピーダンスの不連続な生成をできるだけ減少する配置を採用する。
充分な長さの金属測定プローブ（１３）に合わせ、内外導体接続電線により引き起こされる多重反射の走時分析に対する影響を低下させることができる。また、時間領域反射計（３）自体の可能な信号発信起点のドリフトおよび温度の違いにより同軸ケーブル（５）で電磁波がＴＤＲ浮遊物質濃度導波管に達する時間の違いを修正するため、同軸ケーブルインピーダンス不連続界面（９）を設け、信号開始参照点を提供する必要がある。
【００２０】
前記電磁波のＴＤＲ浮遊物質濃度導波管における往復走時の分析の比較的優れた実施例は、図３に示すとおりである。
図３Ａは、水−泥、砂混合物のＴＤＲ測定波形である。
Ｔ１は、同軸ケーブルインピーダンス不連続界面（９）反射信号の特徴点である。
Ｔ２は、導波管末端反射信号の特徴点である。
Ｔ２−Ｔ１をＴＤＲ走時Δτと定義し、金属測定プローブ（１３）における実際の往復走時をΔtとし、ΔtとΔτの差をt0とする。
ＴＤＲ反射波形は、ケーブル抵抗の影響を受けて平滑特性が現れ、Δtを安定して直接測定することは容易でないため、反射信号の特徴点によりΔτを安定して測定し、補正するt0により換算し、安定した真の走時Δt＝Δτ−t0を得ることができる。
Ｔ１の特徴点は、同軸ケーブルインピーダンス不連続界面（９）反射信号の頂点またはその他の安定した特徴点と定めることができる。
Ｔ２の特徴点は、その導波管末端反射信号の変曲点、すなわちＴＤＲ反射信号の一次微分後の頂点と定めることができる。
図３Ｂに示すように、この特徴点は、自動化分析が容易で、導電率の影響を受けないという長所を有する。
電磁波を制御する金属測定プローブ（１３）における実際の往復走時のパラメータは、ＴＤＲ浮遊物質濃度導波管システムパラメータ（金属測定プローブの感応長さＬおよびＴＤＲ走時と真の走時との差t0を含む）と、懸濁液液体誘電率と、浮遊物質誘電率と、浮遊物質濃度とを含む。
ＴＤＲ走時を利用して浮遊物質濃度を決定する場合には、先にＴＤＲ浮遊物質濃度導波管のシステムパラメータおよび懸濁液液体と浮遊物質の誘電率を補正する必要がある。
【００２１】
前記の温度修正を含むＴＤＲ走時−懸濁液濃度の補正関係および浮遊物質濃度の決定方法の比較的優れた実施例は、図４に示す以下のステップのとおりである。
【００２２】
一、ＴＤＲ浮遊物質濃度導波管のシステムパラメータ（Ｌおよびt0）を補正するステップ
【００２３】
水および空気は取得が容易であり、かつ誘電率はすでに知られている。空気の誘電率εaは定数１であり、水の誘電率εwは、ＴＤＲ帯域範囲内において、
【００２４】
【数１】
2009204601.tif 000003
【００２５】
で表すことができ、式中、T（℃）は温度である。波動伝搬理論および前記ΔtとΔτの定義に基づき、水と空気のＴＤＲ走時（ΔτaとΔτw）は、
【００２６】
【数２】
2009204601.tif 000004
【００２７】
で表すことができ、式中、c（２.９９８×１０8 m／sec）は光速である。
それぞれＴＤＲ浮遊物質濃度導波管の空気と水の中のＴＤＲ走時および水温を測定すると、上式によりＬおよびt0を求めることができる。
【００２８】
二、懸濁液液体の誘電率およびその温度による影響を補正するステップ
【００２９】
懸濁液液体が水でない場合、異なる温度の下での懸濁液液体のＴＤＲ走時（ΔτL）を測定し、下式を利用して懸濁液液体の異なる温度の下での誘電率（εL）を決定する必要がある。
【００３０】
【数３】
2009204601.tif 000005
【００３１】
三、浮遊物質の誘電率εssを補正するステップ
【００３２】
波動伝搬理論および前記ΔtとΔτの定義に基づき、ＴＤＲ浮遊物質濃度導波管の懸濁液におけるＴＤＲ走時は、
【００３３】
【数４】
2009204601.tif 000006
【００３４】
で表すことができ、式中、ΔτはＴＤＲ浮遊物質濃度導波管の懸濁液におけるＴＤＲ走時であり、SSCは浮遊物質濃度である（浮遊物質の懸濁液の体積に対する比例で表す）。
濃度がすでに分かっている異なる懸濁液をいくつか用意し、そのＴＤＲ走時Δτおよび温度Tを測定すると、上式により最小二乗法でεssを補正することができる。
粘土を例にすると、その泥、砂の濃度SSCとＴＤＲ走時Δτの補正結果は、図５に示すとおりである。
同図においてＴＤＲ走時Δτと泥、砂の濃度SSCが良好な線形関係をなしており、かつ前記線形関係は浮遊物質の粒径と無関係であることが分かる。
【００３５】
四、浮遊物質濃度を決定するステップ
【００３６】
ＴＤＲ浮遊物質濃度導波管のシステムパラメータ（Ｌとt0）および懸濁液液体と浮遊物質の誘電率（εLとεss）が補正により分かると、ＴＤＲ浮遊物質濃度導波管および温度計を利用して、浮遊物質濃度が分かっていない懸濁液のＴＤＲ走時（Δτ）および温度（T）をそれぞれ測定し、下式により浮遊物質濃度を決定する。
【００３７】
【数５】
2009204601.tif 000007
【００３８】
浮遊物質誘電率の変化の範囲は大きくなく、同じタイプの浮遊物質は、補正の後に、すでに分かっているものと仮定することができる。
懸濁液液体の誘電率および浮遊物質の誘電率の補正は、同じタイプの懸濁液において１回しか行う必要がない。
ＴＤＲ浮遊物質濃度導波管のシステムパラメータが異なる場合、水および空気を簡単に利用してシステムパラメータ（Ｌとt0）を補正することにより測定することができる。
【００３９】
式[５]におけるＴＤＲ浮遊物質濃度導波管のシステムパラメータ（Ｌとt0）、懸濁液液体の誘電率、浮遊物質の誘電率の３項は、簡略化して懸濁液のＴＤＲ走時ΔτLと浮遊物質媒介物のＴＤＲ走時Δτssの２項に合併することができる。
前記の浮遊物質濃度の決定方法も、下式に簡略化することができる。
【００４０】
【数６】
2009204601.tif 000008
【００４１】
式中、ΔτLは懸濁液液体のＴＤＲ走時であり、Δτssは媒介物がすべて浮遊物質である場合のＴＤＲ走時である。
式[６]で測定を行うときには、先ず懸濁液液体の異なる温度の下でのＴＤＲ走時ΔτL（T）を測定してから、浮遊物質濃度がすでに分かっている異なる懸濁液をいくつか用意し、そのＴＤＲ走時Δτおよび温度Tを測定する必要がある。
式[６]および最小二乗法を利用してΔτss,ΔτL（T）およびΔτssを補正すると、式[６]を利用して浮遊物質濃度を測定することができる。
簡易な方法では、ＴＤＲ浮遊物質濃度導波管システムパラメータ、懸濁液液体の誘電率、浮遊物質の誘電率を一緒にΔτL（T）およびΔτssを介して考慮する。ＴＤＲ浮遊物質濃度導波管のシステムパラメータが異なる場合は、ΔτL（T）およびΔτssの補正を介すことにより、正確に測定することができる。
【００４２】
以上の内容は、本発明の比較的優れた実施例でしかなく、本発明の特許出願権を限定するためのものではない。
また、以上の内容は、当業者が理解し、実施することができるものであるため、本発明で開示した主旨を逸脱せずに完了したその他の同等の変更または修飾は、特許請求の範囲に含むものとする。
【図面の簡単な説明】
【００４３】
【図１】本発明の比較的優れた実施例の浮遊物質濃度計測装置の概要図である。
【図２】本発明の比較的優れた実施例のＴＤＲ浮遊物質濃度導波管の概要図である。
【図３】図３Ａは本発明の比較的優れた実施例のＴＤＲ浮遊物質濃度導波管の測定波形および関連走時の概要図であり、図３Ｂは本発明の比較的優れた実施例のＴＤＲ浮遊物質濃度導波管の測定波形の一次微分および関連走時の概要図である。
【図４】本発明の比較的優れた実施例の典型的な補正と測定のフローチャートである。
【図５】本発明の比較的優れた実施例のＴＤＲ走時と浮遊物質濃度の補正関係の概要図である。
【符号の説明】
【００４４】
１・・・・・・データ取り込み器
２・・・・・・時間領域反射計制御線
３・・・・・・時間領域反射計（Time domain reflectometer）
４・・・・・・同軸ケーブルマルチプレクサ（Coaxial multiplexer）
５・・・・・・同軸ケーブル
６・・・・・・ＴＤＲ浮遊物質濃度導波管
７・・・・・・温度センサ
８・・・・・・温度センサケーブル
９・・・・・・同軸ケーブルインピーダンス不連続界面
１０・・・・・金属製ケース
１１・・・・・絶縁充填材料
１２・・・・・内外導体接続電線
１３・・・・・金属測定プローブ
【図１】
2009204601.tif 000009
【図２】
2009204601.tif 000010
【図３】
2009204601.tif 000011
【図４】
2009204601.tif 000012
【図５】
2009204601.tif 000013